(57)【特許請求の範囲】
【請求項１】
商用電源から給電を受ける機器に搭載される電源装置であって、
前記商用電源による電力を蓄電する蓄電手段と、
電力供給源を前記商用電源と前記蓄電手段との間で切り替える切替リレーと、
前記商用電源からの交流入力の有無を判断し、該交流入力が有るときは前記商用電源を電力供給源とする第一の切替状態にし、該交流入力が無くなったときは前記蓄電手段を電力供給源とする第二の切替状態にするように、前記切替リレーの切替状態を制御する切替制御手段と、
前記機器の負荷状態が、給電が止まっても該機器の動作に影響を与えない耐力時間が所定時間以上ある状態であるか否かを判断する耐力時間判断手段と、
前記切替リレーによって切り替えられた前記商用電源又は前記蓄電手段からの給電を検出する給電検出手段と、
前記切替リレーが前記第二の切替状態にある期間に、前記耐力時間判断手段が前記耐力時間が前記所定時間以上ある状態であると判断した後、前記切替リレーを前記耐力時間を超えない時間だけ前記第一の切替状態に切り替え、その状態で前記給電検出手段が給電を検出した場合に、前記切替リレーに異常があると判断する異常判断手段と、
を備えたことを特徴とする電源装置。
【請求項２】
前記耐力時間判断手段は、前記機器の動作状況から前記耐力時間が所定時間以上ある状態であるか否かを判断することを特徴とする請求項１に記載の電源装置。
【請求項３】
前記耐力時間判断手段は、前記機器が通常の動作モードより負荷が小さい動作状況の場合に、前記耐力時間が所定時間以上ある状態であると判断することを特徴とする請求項２に記載の電源装置。
【請求項４】
前記給電検出手段は、ゼロクロス検出回路による交流電圧のゼロクロス信号によって給電を検出することを特徴とする請求項１から３のいずれか一項に記載の電源装置。
【請求項５】
前記異常判断手段は、前記切替リレーが前記第一の切替状態にある期間に、前記耐力時間判断手段が、前記耐力時間が前記所定時間以上ある状態であると判断した後、前記蓄電手段による給電を停止させてから、前記切替リレーを前記耐力時間を超えない時間だけ前記第二の切替状態に切り替え、その状態で前記給電検出手段が給電を検出した場合も、前記切替リレーに異常があると判断する手段をさらに有することを特徴とする請求項１から４のいずれか一項に記載の電源装置。
【請求項６】
請求項１から５のいずれか一項に記載の電源装置を備えた画像形成装置。
【請求項７】
電力供給源を商用電源と蓄電手段との間で切り替える切替リレーの異常判断方法であって、
前記商用電源からの交流入力の有無を判断し、該交流入力が有るときは前記商用電源を電力供給源とする第一の切替状態にし、交流入力が無くなったときには前記蓄電手段を電力供給源とする第二の切替状態にするように、前記切替リレーの切替状態を制御するステップと、
負荷状態が、給電が止まっても該負荷の動作に影響を与えない耐力時間が所定時間以上ある状態であるか否かを判断するステップと、
前記切替リレーによって切り替えられた前記商用電源又は前記蓄電手段からの給電を検出するステップと、
前記切替リレーが前記第二の切替状態にある期間に、前記耐力時間が前記所定時間以上ある状態であると判断された後、前記切替リレーを前記耐力時間を超えない時間だけ前記第一の切替状態に切り替え、その状態で前記給電を検出した場合に、前記切替リレーに異常があると判断するステップと、
を有することを特徴とする切替リレーの異常判断方法。
【発明の詳細な説明】
【技術分野】
【０００１】
この発明は、電源装置と画像形成装置及び切替リレーの異常判断方法に関する。
【背景技術】
【０００２】
電子写真プロセスを利用した複写機、プリンタ、ファクシミリ装置及びこれらを組み合わせた複合機等の画像形成装置など、商用電源から給電を受ける機器では、商用電源からのＡＣ電力及びそれを直流化したＤＣ電力を各負荷に供給する電源装置を搭載している。
また、このような電源装置に、商用電源による電力を蓄電する蓄電池を備え、商用電源の停電時には電力供給電源を商用電源から蓄電池に切り替えて、停電時の継続動作を可能にすることが、既に知られている（例えば、特許文献１参照）。
【発明の概要】
【発明が解決しようとする課題】
【０００３】
しかしながら、このような電源装置における停電時の切替リレーの切り替えは、機器の動作によらず、負荷に大きな電流が流れているタイミングでも行われるため、切替リレーの接点が溶着して故障する可能性がある。切替リレーに溶着故障が発生した場合、停電が復帰しても電力供給電源を蓄電池から商用電源に切り替えることができず、蓄電電力が無くなるために急に電源供給が遮断されてしまい、機器の故障に至る可能性があった。
【０００４】
この発明は上記の問題を解決するためになされたものであり、上述のような電源装置において、切替リレーに溶着故障のような異常が発生した場合に、それを機器の動作に影響しない適切なタイミングで検知できるようにすることを目的とする。
【課題を解決するための手段】
【０００５】
この発明による電源装置は、商用電源から給電を受ける機器に搭載される電源装置であって、上記商用電源による電力を蓄電する蓄電手段と、電力供給源を上記商用電源と蓄電手段との間で切り替える切替リレーと、上記商用電源からの交流入力の有無を判断し、該交流入力が有るときは上記商用電源を電力供給源とする第一の切替状態にし、該交流入力が無くなったときは上記蓄電手段を電力供給源とする第二の切替状態にするように、上記切替リレーの切替状態を制御する切替制御手段と、上記機器の負荷状態が、給電が止まっても該機器の動作に影響を与えない耐力時間が所定時間以上ある状態であるか否かを判断する耐力時間判断手段と、上記切替リレーによって切り替えられた上記商用電源又は蓄電手段からの給電を検出する給電検出手段と、上記切替リレーが上記第二の切替状態にある期間に、上記耐力時間判断手段が上記耐力時間が上記所定時間以上ある状態であると判断した後、上記切替リレーを上記耐力時間を超えない時間だけ上記第一の切替状態に切り替え、その状態で上記給電検出手段が給電を検出した場合に、上記切替リレーに異常があると判断する異常判断手段とを備えたことを特徴とする。
【発明の効果】
【０００６】
この発明による電源装置は、商用電源から給電を受ける機器に搭載される電源装置において、切替リレーに溶着故障のような異常が発生した場合に、それを機器の動作に影響しない適切なタイミングで検知することができる。
【図面の簡単な説明】
【０００７】
【図１】この発明を実施した電源装置を備えた画像形成装置の一実施形態を示す概略構成図である。
【図２】この発明による電源装置の一実施形態を示すブロック構成図である。
【図３】図２に示した電源装置による切替リレーの故障検出タイミングを説明するためのタイミングチャートである。
【図４】図２に示した電源装置の制御部によるこの発明に関わる処理の流れを示すフローチャートである。
【発明を実施するための形態】
【０００８】
以下、この発明を実施するための形態を図面に基づいて具体的に説明する。
図１は、この発明を実施した電源装置を備えた画像形成装置の一実施形態を示す概略構成図である。この図１に示す画像形成装置１は、商用電源から給電を受ける機器であり、この実施形態では、複写機能とプリンタ機能、およびファクシミリ機能等を有するデジタル複合機（「ＭＦＰ」とも称す）である。そのため、装置本体に相当するプリンタユニット４０上に、書き込みユニット３０、画像読取装置２０、および自動原稿送り装置（「ＡＤＦ」と略称する）１０が、順次重なって搭載されている。
【０００９】
さらに、この画像形成装置１は、プリンタユニット４０の下部に、蓄電池として機能するキャパシタユニット５０を内蔵する電源装置６０を搭載している。
プリンタユニット４０内の下方部には、それぞれ外部へ引き出し可能な二段の給紙カセット４１Ａ，４１Ｂと、それに積載された用紙を一枚ずつ送り出す給紙ローラを有する給紙部４２Ａ，４２Ｂが設けられている。さらに、その給紙部４２Ａ，４２Ｂによって送り出された用紙を上方へ搬送する搬送部４３が設けられている。
【００１０】
プリンタユニット４０内の上方部には、矢示方向に回転する感光体ドラム４４が設けられ、その外周に沿って、書き込みユニット３０による書き込み位置を挟んで、回転方向の上流側に帯電器４５が、下流側に現像装置４６が配置されている。
そして、感光体ドラム４４の下部外周面に接するように転写搬送ベルト４７が配置され、その搬送方向下流側に定着装置４８が設けられ、その排紙経路の外部に排紙トレイ４９を備えている。
【００１１】
そのほかに、図示は省略しているが、給紙部４２Ａ，４２Ｂ、搬送部４３、感光体ドラム４４、現像装置４６、転写搬送ベルト４７、定着装置４８等の回転部をそれぞれ駆動するモータや、定着装置４８の定着ヒータなどの各種負荷を備えている。また、プリンタユニット４０内のそれらの各負荷を含むこの画像形成装置１全体を統括制御する制御部であるコントローラも備えている。
さらに、ファクシミリ機能を有する場合には、ファクシミリ通信部としてのモデムも備えている。
電源装置６０は、商用電源から給電を受けて、上述した各負荷等及びコントローラに、交流電力又はそれを所定の直流電圧に変換して供給する。
【００１２】
この画像形成装置１は、操作部のアプリケーション切り替えキーにより、複写機能、プリンタ機能、およびファクシミリ機能を順次に切り替えて選択することが可能になっている。そして、複写機能の選択時には複写モードとなり、プリンタ機能の選択時にはプリンタモードとなり、ファクシミリモードの選択時にはファクシミリモードとなる。
この画像形成装置１による画像形成の流れを、複写モードの場合を例に図１を用いて簡単に説明する。
【００１３】
複写モードでは、ＡＤＦ１０にセットされた原稿束から、原稿が１枚ずつ順に画像読取装置２０に給送され、画像読取装置２０によってその画像情報が読み取られる。そして、その読み取られた画像情報が画像処理され、書き込みユニット３０によって光情報に変換される。
プリンタユニット４０内の感光体ドラム４４は矢示方向に回転し、帯電器４５によって外周面が一様に帯電された後、書き込みユニット３０からの光情報で露光されて静電潜像を形成する。
【００１４】
この感光体ドラム４４上の静電潜像が、現像装置４６のトナーにより現像されてトナー像となる。そのトナー像が、搬送部４３によって搬送される記録媒体である用紙（転写紙とも云う）に、感光体ドラム４４と転写搬送ベルト４７とのニップ部で転写される。
トナー像が転写された用紙は、転写搬送ベルト４７によって定着装置４８へ搬送され、その定着装置４８を通過する際に加熱及び加圧されてトナー像が定着され、その後、機外の排紙トレイ４９上へ排出される。
【００１５】
次に、この発明による電源装置の一実施形態を図２のブロック構成図によって説明する。
この図２に示す電源装置６０は、商用電源６から給電を受け、一対の切替リレー６２，６３を介して、主電源６４に交流電力を供給するとともに、スイッチング回路６６を介して、前述した定着装置４８内の定着ヒータ８３にも交流電力を供給する。
主電源６４は、供給される交流をトランスで降圧して整流・平滑し、負荷に適した所定電圧、この例では２４Ｖ及び５Ｖの直流電圧を生成する。そして、２４Ｖの直流を２４Ｖ系負荷８１に、５Ｖの直流を５Ｖ系負荷８２及び制御部７０に、それぞれ供給する。
【００１６】
一対の切替リレー６２，６３を介した交流はゼロクロス検出回路６５にも入力し、その交流電圧波形のゼロクロス点を検出して、その検出信号を制御部７０に入力する。
また、温度センサ８４によって定着温度を検出し、その検出信号を制御部７０に入力する。
【００１７】
制御部７０は、温度センサ８４によって検出される定着温度によって、定着ヒータ８３に通電する位相角を決定し、ゼロクロス検出回路６５によって検出されたゼロクロス点から、決定した位相角の期間だけスイッチング回路をＯＮにするように位相制御する。それによって、定着装置の定着温度を所定の温度に維持する。
この実施形態では、そのゼロクロス検出回路６５を、切替リレー６２，６３の溶着故障の検出用にも使用する。その詳細は後述する。
【００１８】
また、商用電源６からの一対の給電線間に電圧検出回路６１を設け、その電圧検出信号を制御部７０に入力して、商用電源６からの交流入力の有無を判断できるようにしている。これに代えて、商用電源６からの給電線の一方にカレントトランス等の電流検出回路を介挿し、その電流検出信号を制御部７０に入力して、商用電源６からの交流入力の有無を判断できるようにしてもよい。
【００１９】
この電源装置６０はまた、蓄電手段として前述したキャパシタユニット（蓄電池）５０と充電器５１を備え、商用電源６から給電される交流電力を充電器５１によって直流化してキャパシタユニット５０に蓄電する。そのキャパシタユニット５０に蓄電した直流電力をインバータ５２によって交流に変換し、一対の切替リレー６２，６３を介して、主電源６４及び定着ヒータ８３等に交流電力を供給できるようにしている。
【００２０】
一対の切替リレー６２，６３は、電力供給源を商用電源６と蓄電手段であるキャパシタユニット５０との間で切り替える切替手段である。そして、常時は商用電源６からの交流入力によって電圧検出回路６１が電圧検出信号を制御部７０に入力している。そのため制御部７０は商用電源６からの交流入力があると判断し、切替リレー６２，６３を図２に示すように可動接点が固定接点ａ側に接続し、商用電源６を電力供給源とする第一の切替状態に切り替えている。
【００２１】
停電時には、商用電源６からの交流入力が無くなるので、電圧検出回路６１が電圧検出信号を出力しなくなり、それによって制御部７０は交流入力が無くなったと判断、すなわち停電を検知する。その結果、制御部７０が切替リレー６２，６３をそれぞれ可動接点が固定接点ｂ側に接続するように切り替え制御し、蓄電手段であるキャパシタユニット５０を電力供給源とする第二の切替状態する。
【００２２】
それによって、キャパシタユニット５０に蓄電された直流電力が、インバータ５２によって交流電力に変換され、切替リレー６２，６３を介して主電源６４及び定着ヒータ８３等に供給される。そのため、この電源装置６０を搭載した機器である画像形成装置１が動作を継続することができる。インバータ５２の動作は、制御部７０によって制御される。
停電が解消して商用電源６が復帰すると、電圧検出回路６１が電圧検出信号を出力して制御部７０へ入力させるため、制御部７０は商用電源６からの交流入力が再開したと判断し、切替リレー６２，６３を商用電源６を電力供給源とする第一の切替状態に切り替える。
【００２３】
しかし、この停電時の切替リレー６２，６３の切り替えは、機器の動作によらず、負荷に大きな電流が流れているタイミングでも行われるため、切替リレー６２，６３の接点が溶着して故障する可能性がある。切替リレーに溶着故障が発生した場合、停電が復帰しても電力供給源をキャパシタユニット（蓄電池）５０から商用電源６に切り替えることができず、蓄電電力が無くなると急に電源供給が遮断されてしまい、画像形成装置１が故障に至る可能性がある。
【００２４】
そこで、この電源装置６０は、停電によって電力供給源がキャパシタユニット（蓄電池）５０に切り替わった後、切替リレー６２，６３の溶着故障の有無を判断する。そのため、制御部７０が切替リレー６２，６３を商用電源６側（第一の切替状態）に一時的に切り替え、給電の有無を検知する。停電中に切替リレー６２，６３を第一の切替状態に切り替えた場合、正常であれば切替リレー６２，６３を介しての給電は検知されないはずであるが、給電が検知された場合は、切替リレー６２，６３が第二の切替状態に溶着していると判断できる。
【００２５】
そのため、制御部７０が切替リレー６２，６３を商用電源６側（第一の切替状態）に一時的に切り替えた期間に、ゼロクロス検出回路６５を給電検出手段として使用し、そのゼロクロス信号の有無によって、切替リレー６２，６３が正常か否かを判断する。
制御部７０は、上記の期間にゼロクロス信号が入力されなければ、給電されていないので切替リレー６２，６３が正常と判断し、ゼロクロス信号が入力されれば、給電されているので切替リレー６２，６３が溶着故障していると判断する。その場合は、異常処理及び異常通知処理などを行う。
【００２６】
この異常判断中は、電源装置６０からの各負荷への給電が一時的に停止するため、その給電停止時間が、機器の動作に影響を与えない瞬断耐圧を示す時間（これを「耐力時間」と定義する）内に収まる場合にのみ、上述の異常判断を行う。そのため、制御部７０は、画像形成装置１の負荷状態が、給電が止まっても機器の動作に影響を与えない耐力時間が所定時間以上あるか否かを判断する「耐力時間判断手段」としても機能する。
【００２７】
前述した画像形成装置１がスリープモード等の省エネモード中は、耐力時間が長くなるので、制御部７０は、画像形成装置１が省エネモード中の場合に、耐力時間が所定時間以上あると判断し、上述した異常判断処理を行う。
この電源装置６０によれば、切替リレー６２，６３の溶着故障を予め把握することができるので、キャパシタユニット（蓄電池）５０の蓄電残量が少なくなった時点でシャットダウン処理を行うことができる。そのため、急な電源遮断によって画像形成装置１が故障することを防ぐことができる。
【００２８】
また、切替リレー６２，６３が第一の切替状態に切り替わっていて、商用電源６から給電している場合でも、同様に切替リレー６２，６３の異常判断を行うことができる。
その場合は、画像形成装置１の負荷状態が、耐力時間が所定時間以上ある状態であると制御部７０が判断した後、その耐力時間を超えない時間だけ切替リレー６２，６３を一時的に第二の状態に切り替える。このときインバータ５２は動作を停止される。
そして、制御部７０が、ゼロクロス信号の入力の有無によって切替リレー６２，６３の異常判断を行う。すなわち、ゼロクロス信号の入力がなければ給電されなくなったので、切替リレー６２，６３が正常であり、ゼロクロス信号が入力していれば給電され続けているため、切替リレー６２，６３が溶着故障していると判断する。
【００２９】
切替リレー６２，６３が商用電源６側に溶着故障していると、停電時に切替リレー６２，６３を第二の切替状態にすることができず、キャパシタユニット（蓄電池）５０から給電できないので、急な電源遮断によって、画像形成装置１が故障する恐れがある。そのため、このような切替リレー６２，６３の溶着故障を予め把握することによって、ユーザに警告等の通知をして修理を促すことができる。
【００３０】
制御部７０は上述のように、切替リレー６２，６３の切替状態を制御する切替制御手段、耐力時間が所定時間以上ある状態であるか否かを判断する耐力時間判断手段の機能を果す。さらに、制御部７０は、ゼロクロス検出回路６５からのゼロクロス信号の有無によって商用電源６又は蓄電手段であるキャパシタユニット５０からの給電を検出する給電検出手段、および切替リレー６２，６３の異常を判断する異常判断手段としての機能も果たす。
【００３１】
これらは、この電源装置６０における制御部７０によるこの発明に係わる機能であるが、この制御部７０は、図１に示した画像形成装置１の全体の制御も行っており、各動作モードに応じて各負荷をシーケンシャルに動作させる。この制御部７０は、ＣＰＵとＲＯＭ及びＲＡＭ等からなるマイクロコンピュータを備えている。
【００３２】
次に、図２に示した電源装置６０における切替リレー６２，６３の故障検出タイミングについて、図３のタイミングチャートを用いて詳述する。
図３は、画像形成装置の動作状態、商用電源６からのＡＣ入力電圧の状態に応じた切替信号（切替リレー６２，６３の切替状態に対応する）、インバータ５２の出力状態、主電源装置への供給電力状態、及びＤＣ負荷への電源供給状態を示している。そして、横軸に時間を、縦軸に各ポイントの活電状況を示している。
【００３３】
操作者の動作指示（電源スイッチＯＮ）があると、図２における商用電源６を電力供給源として主電源６４が立ち上がり、画像形成装置がプリント動作を開始する（タイミングｔ１）。このとき、制御部７０は電圧検出回路６１からの電圧検出信号によって、商用電源６からの交流入力があると判断し、切替信号をローレベルにして切替リレー６２，６３を第一の切替状態にしている。
【００３４】
そして、タイミングｔ２で停電が発生すると、電圧検出回路６１が電圧検出信号を出力しなくなるため、制御部７０が停電発生と判断し、切替信号をハイレベルにする。それによって、切替リレー６２，６３が第二の切替状態に切り替わり、キャパシタユニット５０を電力供給源として、インバータ５２によって交流化された電力が主電源６４へ供給される。
このとき供給電力に１０ｍｓ程度の瞬断が発生するが、主電源６４は、通常その程度の電力瞬断に対する耐力時間は確保しており、画像形成装置１の動作自体になんら影響を与えることはない。
【００３５】
さらにその後、画像形成装置１がスリープモードに移行すると、制御部７０は、負荷状態が、給電が止まっても動作に影響を与えない耐力時間が所定時間以上ある状態になったと判断する。そして、切替リレー６２，６３をその耐力時間を超えない時間Ｔｓの間だけ商用電源６側の第一の切替状態に戻して故障検出を行う。
ここで、スリープモード中に故障検出を実施している理由について説明する。
【００３６】
通常、主電源６４の耐力時間は負荷の大きさによって変わり、最大負荷条件（動作モード中）では１０ｍｓ程度となっているが、負荷が軽い場合（スリープモード中）は数１００ｍｓ〜数秒程度になる。そのため、耐力時間が長い軽負荷のスリープモード中に故障検出を実施すれば、その故障検出中電源供給が停止しても、画像形成装置１はスリープ動作を影響なく継続することができる。
【００３７】
このような理由で、耐力時間が長い動作モードであるスリープモード中に切替リレー６２，６３の故障検出を実施する。
この例では、故障検出をスリープモード中に実施したが、待機モード中や調整モード中等でも、通常の動作モード中より負荷が小さく、故障検出の時間Ｔｓより長い耐力時間を確保できる動作モードであればよく、スリープモード中に限定するものではない。
【００３８】
なお、この実施形態による故障検出は、停電発生時に電源供給源を商用電源から蓄電電力に切り替えた際の切替リレーの溶着故障を検出することを想定している。
停電発生時には、画像形成装置等の機器の動作に係わらず切替リレーの切替を行う必要があるため、突入電流等の過大電流が発生するタイミングで切替リレーが切り替えられ、故障に至る可能性が高い。そのため、上述した故障検出処理を実施する必要がある。
【００３９】
一方、停電復帰時に切替リレーを商用電源側へ戻す際の切り替えや、ピークシフトのために蓄電電力を活用するための切り替えは、機器の動作状況をみて切り替えることができる。つまり、突入電流が発生しない状態のときに切替リレーを切り替えることが可能であるため、溶着故障の発生を防ぐことができ、故障検出処理を不要にすることができる。
したがって、この電源装置６０を搭載することにより、通常の使われ方による切替リレーの故障について全て対応することができ、画像形成装置等の搭載装置の信頼性を向上させることが可能になる。
【００４０】
上述のように切替リレーの商用電源側への切り替え時の溶着故障は、切替タイミングを適切にすることにより防ぐことが可能であるが、図２に示した電源装置６０は、その切り替え時においても故障検出処理を実施することが可能である。
その場合は、商用電源６が正常で、画像形成装置１がスリープモード等の軽負荷状態のときに、インバータ５２の出力をオフにし、切替リレー６２，６３を耐力時間を超えない時間だけ一時的にインバータ出力側の第二の切替状態にして実施する。そのとき、給電が継続しているとゼロクロス信号が発生しており、それによって、切替リレー６２，６３の異常（商用電源側への溶着故障）を判断することができる。
【００４１】
この場合、停電中に切替リレーの故障検出処理を実施する場合と同様の処理を、商用電源側とインバータ側とを逆に置き換えて処理を実施することになる。
この処理の追加により、不慮のリレー故障についても検出可能となり、更に信頼性を向上させることが可能になる。
【００４２】
図２に示した電源装置６０の制御部７０によって実行するこの発明に関わる処理の流れを、図４のフローチャートによって説明する。これによって、この発明による切替手段の異常判断方法の実施形態も説明することになる。
画像形成装置１の電源スイッチがＯＮになると、マイクロコンピュータを有する制御部７０が図４のフローチャートに示す処理を開始する。
制御部７０は、ステップＳ１の切替状態確認で、切替リレー６２，６３が商用電源側の第一の切替状態にあることを確認し、その後ステップＳ２で停電を検知すると、ステップＳ３で切替リレー６２，６３を切替処理して蓄電池側の第二の切替状態にする。
【００４３】
その後、制御部７０はステップＳ４で画像形成装置１の動作モードを確認して、スリープモードになるのを待ち、スリープモードに移行したことを確認すると、ステップＳ５で切替リレー６２，６３を商用電源側の第一の切替状態に切り替える。
そして、制御部７０はステップＳ６で、ゼロクロス検出回路６５からのゼロクロス信号の有無により交流給電の有無をチェックし、ゼロクロス信号が無ければ正常と判断し、ステップＳ７で切替リレー６２，６３を蓄電池側の第二の切替状態に戻す。
【００４４】
その後、制御部７０がステップＳ８で停電復帰と判断すると、切替リレー６２，６３を再度商用電源側の第一の切替状態に戻して処理を終了する。この場合は正常終了であり、電源スイッチがＯＮの間は上述の処理を繰り返す。
制御部７０は、ステップＳ６でゼロクロス信号がある場合は異常と判断し、ステップＳ１０で切替リレー６２，６３を蓄電池側の第二の切替状態に戻す。しかし、この場合は切替リレー６２，６３は第二の切替状態に溶着した故障状態になっている。
【００４５】
次いで、制御部７０はステップＳ１１で異常処理と異常通知を行い、ステップＳ１２でキャパシタユニット５０の蓄電残量をチェックし、蓄電残量が僅かになった場合には、ステップＳ１３で強制的に画像形成装置１のシャットダウン処理を行い安全に停止させる。
そして、この処理を修了するが、この場合は異常終了であり、上述の処理を繰り返さない。
上記の処理では、異常検知後に装置のシャットダウン処理を行うようにしたが、これは一例であり、故障波及を最小減にとどめるようにすることができればよく、異常検知時の装置制御を限定するものではない。
【００４６】
以上、この発明の実施形態について説明してきたが、その実施形態の各部の具体的な構成や処理の内容等は、そこに記載したものに限るものではない。
また、この発明は上述した実施形態に限定されるものではなく、特許請求の範囲の各請求項に記載された技術的特徴を有する以外は、何ら限定されないことは言うまでもない。
たとえば、この発明による電源装置における蓄電手段はキャパシタユニットに限るものではなく、種々のタイプの二次電池（蓄電池）を使用し得る。また、画像形成装置全体を制御する制御部（コントローラ）が電源装置の制御部を兼ねる例を説明したが、電源装置に専用の制御部を設けてもよい。
【００４７】
この発明による画像形成装置は、デジタル複合機に限らず、単体の複写機やプリンタ、ファクシミリ装置などでもよいし、電子写真方式以外のインクジェット方式等の画像形成装置でもよく、モノクロに限らずカラー画像を形成する画像形成装置でもよい。
この発明による電源装置を搭載する機器は、画像形成装置に限るものではなく、各種の事務機器、ＡＶ機器、通信機器など広範な電子機器を対象とする。
さらに、以上説明してきた実施形態の構成例、動作例及び変形例等は、適宜変更又は追加したり一部を削除してもよく、相互に矛盾しない限り任意に組み合わせて実施することも可能である。
【符号の説明】
【００４８】
１：画像形成装置    ６：商用電源    １０：自動原稿送り装置（ＡＤＦ）    
２０：画像読取装置    ３０：書き込みユニット    ４０：プリンタユニット  
４１Ａ，４１Ｂ：給紙カセット    ４２Ａ，４２Ｂ：給紙部    ４３：搬送部
４４：感光体ドラム    ４７：転写搬送ベルト    ４８：定着装置    ４９：排紙トレイ
５０：キャパシタユニット（蓄電池）    ５１：充電器    ５２：インバータ    
６０：電源装置    ６１：電圧検出回路    ６２，６３：切替リレー    ６４：主電源  
６５：ゼロクロス検出回路    ６６：スイッチング回路    ７０：制御部    
８１：２４Ｖ系負荷    ８２：５Ｖ系負荷    ８３：定着ヒータ    ８４：温度センサ  
【先行技術文献】
【特許文献】
【００４９】
【特許文献１】特開２００８−１７６２８８号公報
【図１】
0006515712.tif 000002
【図２】
0006515712.tif 000003
【図３】
0006515712.tif 000004
【図４】
0006515712.tif 000005